(57)【要約】【課題】本発明は、自動車等車両用の窓ガラスに後付けで貼り付けて使用するアンテナ付のシール、および該シールの車両用窓ガラスへの貼付方法に関し、貼付時の位置ズレを防止できるようにした。【解決手段】車両用窓ガラスに後付けで貼付けて使用する高周波電波送受信用のアンテナ付シールであって、窓ガラス面の室内側周辺領域上の前記シールの貼付位置に少なくとも１つ以上の微小なマークをあらかじめ印刷によって設けておき、前記車両用窓ガラスに対応してあらかじめ用意された前記シールを窓ガラスに貼り付ける時に窓ガラスの各マーク位置と対応するシール面上に少なくとも１つ以上の微小なマークを設けた。【選択図】  図１
2005109811.tif 000002
【特許請求の範囲】
【請求項１】
車両用窓ガラスに後付けで貼付けて使用する高周波電波送受信用のアンテナ付シールであって、窓ガラス面の室内側周辺領域上の前記シールの貼付位置に少なくとも１つ以上の微小なマークをあらかじめ印刷によって設けておき、前記車両用窓ガラスに対応してあらかじめ用意された前記シールを窓ガラスに貼り付ける時に窓ガラスの各マーク位置と対応するシール面上に少なくとも１つ以上の微小なマークを設けたことを特徴とする車両用のアンテナ付シール。
【請求項２】
前記シールに設けるマークを給電点の外周部、またはアンテナ用導電線条上の途中部、または線条に隣接するように設けたことを特徴とする請求項１記載の車両用のアンテナ付シール。
【請求項３】
前記シールに設けるマークとして、シールに設けたアンテナ用導電線条の途中部に微小な円弧状部または折線状部を連続線条となるように設けたことを特徴とする請求項１記載の車両用のアンテナ付シール。
【請求項４】
前記シールに設けるマークの一部に代えて、シールに設けたアンテナ用導電線条の先端部、屈折部、給電部のコーナー部、または切欠部としたことを特徴とする請求項１記載の車両用のアンテナ付シール。
【請求項５】
前記アンテナ付シールに設けられるアンテナは、９０〜１０８ＭＨｚ、１７０〜２２２ＭＨｚ、４７０〜７７０ＭＨｚのＴＶ放送波帯域用、８００〜９６０ＭＨｚの自動車用電話帯域用、テレマティクス用、あるいは該周波数帯域よりも高い周波数帯域用のアンテナであることを特徴とする請求項１乃至４のいずれかに記載の車両用のアンテナ付シール。
【請求項６】
車両用窓ガラスの所定位置に前記請求項１〜５のいずれかに記載のアンテナ付シールを後付けで貼付ける方法において、前記シールに設けた少なくとも１つ以上のマークと、車両用窓ガラスの所定位置に設けたマークとを重ね合わせることによって、シールの貼付位置ズレを防止することを特徴とするアンテナ付シールの窓ガラスへの貼付方法。
【発明の詳細な説明】
【技術分野】
【０００１】
本発明は、自動車等車両用の窓ガラスに後付けで貼り付けて使用するアンテナ付のシール、および該シールの車両用窓ガラスへの貼付方法に関し、貼付時の位置ズレを防止できるようにしたシールアンテナに関するものである。
【背景技術】
【０００２】
従来、車両用のガラスアンテナは、後部窓ガラスのデフォッガの加熱用導電線条の上部余白部あるいは下部余白部に設けたアンテナ、前部窓ガラスや側部窓ガラスに導電線条を印刷して設けるアンテナが知られており、それぞれ実用化もされている。
【０００３】
これらのガラスアンテナは、ガラス板の加熱炉内での曲げ成形加工と同時に銀ペーストによってガラス面に印刷したアンテナパターンの焼き付け処理によって形成される。
【０００４】
このように、ガラスアンテナは、ガラス面にアンテナパターンを印刷して形成しておくケースが殆どであるが、フイルム状、シート状またはシール状のアンテナを販売店やカーディーラー等にて後付けにより窓ガラスに貼り付けて形成するケースもある。
【０００５】
近年、ＧＰＳ衛星受信によるカーナビゲーションや自動車電話、ＴＶ放送波のアンテナを、カーメーカーにてディーラーオプションとして、販売店でシールアンテナを取付けて販売している。
【０００６】
シールアンテナとしては、例えば、特開２０００−３４１０２０号公報には、電気絶縁性を有する透明な帯状のフイルムと、前記フイルムに線条に配設されるアンテナ導体とを有し、前記フイルムが、自動車の窓ガラスの周縁に沿って貼り付けられる車載用フイルムアンテナにおいて、前記帯状のフイルムは、幅広部と幅細部とからなり、幅細部は幅広部の幅方向一方側に連なり、幅広部の幅方向他方側が窓ガラスの周縁に近接して配置され、幅広部の幅方向一方側および幅細部が窓ガラスから離反して配置される車載用フイルムアンテナが開示されている（特許文献１）。
【０００７】
すなわち、特許文献１は具体的に、アンテナ導体線を帯状の透明フイルムに貼付、このフイルムを例えば自動車のフロントガラスに視界の妨げにならないように帯状のフイルムを窓ガラスの周縁と平行になるように貼り付けて、見栄えが悪くならないようにしたものである。
【０００８】
また、特開２００３−１６３５２４号公報には、ウィンドシールドガラスに貼り付けられるフイルムアンテナ装置であって、前記フイルムアンテナ装置は、第１フイルムアンテナ、第２フイルムアンテナと第３フイルムアンテナを含んでなり、前記第１フイルムアンテナと第２フイルムアンテナは同一フイルム上に設けられ、互いに容量結合されるアンテナパターン部分を備えることを特徴とするフイルムアンテナ装置が開示されている（特許文献２）。
【特許文献１】特開２０００−３４１０２０号公報
【特許文献２】特開２００３−１６３５２４号公報
【発明の開示】
【発明が解決しようとする課題】
【０００９】
前記特許文献１に記載のフイルムアンテナは、窓ガラスに貼り付けたフイルムの周縁の線と窓ガラスの周縁の線がずれて平行でない時、フイルムと窓ガラスの周縁との間隔が狭いと目立って見栄えが悪くなるので、ずれても目立たないようなフイルムの形状である幅広部と幅細部を幅方向一方側に連ねて、幅広部のみが窓ガラスの周縁に近接するようにしたものである。
【００１０】
しかしながら、通常フイルムアンテナは透明とはいえ、窓ガラスに貼り付けたときにフイルムの周縁の線が浮き出て目立つ状態であり、このため、極力窓ガラスの周縁に近い状態で配設されることが多い。
【００１１】
特に、窓ガラスの周縁は金属フランジに固定され、ＶＨＦ−ＨＩＧＨ帯のＴＶ放送波より周波数の高い帯域によっては該金属フランジからアンテナまでの距離が設定された距離よりも数ミリ、例えば３ｍｍを超えて位置ズレがあれば受信特性に悪影響を及ぼす状態である。
【００１２】
このため、特許文献１に記載のような貼付位置がズレても目立たないような形状にしたものでは、見栄えは解決されるが、ズレによって発生する受信特性の低下を解決することはできない。
【００１３】
一方、特許文献２には、フイルムアンテナを窓ガラスに貼り付けるときの位置ズレによる受信特性の低下や、見栄えが悪くなる等の問題点について解決する方法等については全く記載されていない。
【課題を解決するための手段】
【００１４】
本発明はこのような点に鑑みてなされたものであり、車両用の窓ガラスに後付けで配設するアンテナを有したシールと、該シールを窓ガラスの所定位置に位置ズレもなく容易に貼付けできることを目的とする。
【００１５】
すなわち、本発明は、車両用窓ガラスに後付けで貼付けて使用する高周波電波送受信用のアンテナ付シールであって、窓ガラス面の室内側周辺領域上の前記シールの貼付位置に少なくとも１つ以上の微小なマークをあらかじめ印刷によって設けておき、前記窓ガラスの車種に対応してあらかじめ用意された前記シールを窓ガラスに貼り付ける時に窓ガラスの各マーク位置と対応するシール面上に少なくとも１つ以上の微小なマークを設けたことを特徴とする車両用のアンテナ付シールである。
【００１６】
あるいは、本発明は、前記シールに設けるマークを給電点の外周部、またはアンテナ用導電線条上の途中部、または線条に隣接するように設けたことを特徴とする上述の車両用のアンテナ付シールである。
【００１７】
あるいはまた、本発明は、前記シールに設けるマークとして、シールに設けたアンテナ用導電線条の途中部に微小な円弧状部または折線状部を連続線条となるように設けたことを特徴とする上述の車両用のアンテナ付シールである。
【００１８】
あるいはまた、本発明は、前記シールに設けるマークの一部に代えて、シールに設けたアンテナ用導電線条の先端部、屈折部、給電部のコーナー部、または切欠部としたことを特徴とする上述の車両用のアンテナ付シールである。
【００１９】
あるいはまた、本発明は、前記アンテナ付シールに設けられるアンテナは、９０〜１０８ＭＨｚ、１７０〜２２２ＭＨｚ、４７０〜７７０ＭＨｚのＴＶ放送波帯域用、８００〜９６０ＭＨｚの自動車用電話帯域用、テレマティクス用、あるいは該周波数帯域よりも高い周波数帯域用のアンテナであることを特徴とする上述のいずれかに記載の車両用のアンテナ付シールである。
【００２０】
あるいはまた、本発明は、車両用窓ガラスの所定位置に上述のアンテナ付シールを後付けで貼付ける方法において、前記シールに設けた少なくとも１つ以上のマークと、車両用窓ガラスの所定位置に設けたマークとを重ね合わせることによって、シールの貼付位置ズレを防止することを特徴とするアンテナ付シールの窓ガラスへの貼付方法である。
【発明の効果】
【００２１】
本発明のシールアンテナによれば、販売店やカーディーラー等によって車両用の窓ガラスにオプションによって後付けで貼付けるアンテナを有したシールを車両用の窓ガラスの所定位置に貼る時に、熟練の作業員でなくても位置ズレもなく、容易に所定位置に精度良く貼付けできるので、シールの貼付作業の作業効率が良く、貼付位置ズレがなくなるので貼付位置ズレによる金属フランジとの距離の変化に伴う受信性能や、見栄えの低下を招くこともなく、あらかじめチューニングした受信性能を最大限に発揮させることができる。
【発明を実施するための最良の形態】
【００２２】
本発明は、組立て完了後の車両用窓ガラス１に後付けで貼付けて使用する透明な樹脂シートからなる高周波電波送受信用のシールアンテナであって、前記窓ガラス１面のシールの貼付位置に少なくとも１つ以上の微小なマーク４、４’を設けると共に、前記シール３、３’を前記窓ガラス１に貼り付ける時に窓ガラス１の所定の位置にあらかじめセラミックペースト等による印刷によってマークを設けておき、前記窓ガラス１に設けたマーク位置と対応するシール面上に微小なマーク４、４’を設けたものである。
【００２３】
前記シール３、３’に設けた微小なマーク４、４’と、車両用窓ガラス１に設けた微小なマーク４、４’とを重ね合わせるようにしてシール３、３’をガラス１面に貼り付ければ、ガラス面上に貼付時のシール３、３’の貼付位置にバラツキがなく、常に一定位置にシール３、３’を貼着できて、貼付位置ズレを防止することができる。
【００２４】
前記シール３、３’に設けるマーク４、４’は、見栄えの良いパターンおよび位置が望ましく、該マーク４、４’は、シール３上に少なくとも１つ以上設ければ良く、例えばシール３の上部側コーナー部２箇所に設ければよい。この場合、マーク位置４、４、４’、４’は給電点５、５’やアンテナ線条６、６’とは離れた位置となる。
【００２５】
シール３、３’上に設ける給電点５、５’、およびアンテナ線条６、６’は導電性からなる線条であれば、車内外から見て、目立ちにくい薄い色の配色の方が好ましい。
【００２６】
窓ガラス１の周辺部のセラミックペーストによる着色部があり、この着色部に設ける場合には、セラミックペースト内のマーク位置を目立たないように白抜き、またはくり貫いて設けることができる。
【００２７】
前記シール３、３’に設けるマーク４、４’の一部に代えて、シール３、３’に設けたアンテナ用導電線条６、６’の先端部、屈折部、給電部のコーナー部をマーク位置とみなして、ガラス板１面の対応位置に設けたマーク４、４’と一致するようにして貼り付ければよい。
【００２８】
前記シール３、３’の材質としては、ポリエステル、アクリル、ポリイミド、ポリカーボネート、ポリエチレンテレフタレート等の樹脂製シートからなり、その厚みは０．５ｍｍ以下とする。
また、前記シール３、３’上に配設するアンテナ線条６、６’およびその給電点は、銅、アルミニウム、銀等の導電性材料からなるシートを貼着すればよい。
【００２９】
また、本発明のシールアンテナは、車両の前部窓ガラス１に限らず、後部窓ガラス、側部窓ガラスに貼り付けるようにしてもよい。
【００３０】
さらにまた、本発明のシール状のアンテナ３、３’は、自動車等車両用の窓ガラス１の工場での製造時に貼り付けて形成するようにしても良い。
【００３１】
該シールアンテナ３、３’は、車両の窓ガラス１の種類、車種に対応したものが用意されており、顧客が車両の購入時にオプションによって選択し、販売店等によって貼り付けられるが、該アンテナを不必要とする顧客にとって、あらかじめガラス面に印刷によってアンテナを設ける場合に比べて、アンテナをガラス面に印刷するためのコストが不要となる。また、後でアンテナが必要となった時にはシールアンテナの貼付によって設けることが容易である。
【００３２】
続いて本発明の作用について説明する。
【００３３】
アンテナ６、６’を配設したシール３、３’を車両用の窓ガラス１の所定位置に貼り付けようとする時に、目障りとならないような位置である周囲部に設けるが、窓ガラス１を取り囲む金属フランジ２との距離によって、受信利得が変化する。これは、金属フランジ２とアンテナ６とが容量結合するため、金属フランジ２からの距離によって受信利得が変化するためである。
【００３４】
このため、シールアンテナ３、３’を貼付する最適な位置をガラス面にあらかじめ設けておいたマーク４、４’と、シール３、３’に設けたマーク４、４’とを一致させることによって、常に一定とさせるものである。
【００３５】
前記アンテナ付シール３、３’に設けられるアンテナ６、６’は、９０〜１０８ＭＨｚ、１７０〜２２２ＭＨｚ、４７０〜７７０ＭＨｚのＴＶ放送波帯域用、８００〜９６０ＭＨｚの自動車用電話帯域用、テレマティクス用、あるいは該周波数帯域よりも高いＧＰＳ、ＶＩＣＳ、ＥＴＣ用等の周波数帯域用のアンテナであるため、窓ガラスの周辺領域に該アンテナを貼付ける場合、該周辺領域が金属フランジによって支持される関係上、どうしても金属フランジの影響を受け易く、貼付位置のズレが受信利得に大きく影響する。
【００３６】
このため、窓ガラスの周辺領域の所定の位置にあらかじめチューニングしたシールアンテナを精度良く貼り付けることは、重要であり、受信性能を最大限発揮させるためには、正確な位置に貼り付ける必要がある。
【実施例】
【００３７】
以下、図面を参照しながら本発明を詳細に説明する。
【００３８】
図１は、車両用の前部窓ガラス１の上辺側のミラーベース７の接着位置の近傍に第１のシール３と第２のシール３’の２つのシールアンテナを左右に併設して貼り付けた例であり、第１のシール３、および第２のシール３’の貼り付け位置が、所定の位置（位置Ａ）であり、位置ずれの無い状態を示したものである。
【００３９】
前記第１のシール３に設けられたアンテナ６は、８００〜９６０ＭＨｚの自動車用電話帯域用の非接地タイプのアンテナであり、第２のシールアンテナ３’は、９０〜１０８ＭＨｚ、１７０〜２２２ＭＨｚのＴＶ放送波帯域用の非接地タイプのアンテナである。
【００４０】
位置Ａでは、第１のシール３、および第２のシール３’の上端から、フランジ２の内側上辺までの距離は２０ｍｍであり、第１のシール３、および第２のシール３’上に配設されたアンテナの最上端位置は各シール３、３’の上辺近傍位置に配設されている。
【００４１】
第１のシール３の下部側の両コーナー近傍の２箇所にマーク４、４を設け、そのシール３に対応する車種のガラス１面上にもあらかじめセラミックペーストを焼付プリントしてマークを設けておくものであり、第２のシール３’の上部側の両コーナー近傍の２箇所にマーク４’、４’を設け、それに対応するガラス１面上にもマークを設け、それぞれ対応するマーク同士が重なるようにした。
【００４２】
一方、図２は、車両用の前部窓ガラス１の上辺側のミラーベース７の接着位置の近傍に第１のシール３と第２のシール３’の２つのシールアンテナを左右に併設して貼り付ける時に、第１のシール３’の貼り付け位置が、前記図１の位置Ａよりフランジ２の上辺側に１０ｍｍ程度ずれた位置（位置Ｂ）に貼着された状態を示す図である。
【００４３】
すなわち、位置Ｂでは、第１のシール３の上端からフランジ２の上辺までの距離は１０ｍｍであり、第２のシール３’の上端からフランジ２の上辺までの距離は２０ｍｍである。
【００４４】
図３に示すように、位置Ａと位置Ｂのそれぞれについて、８００〜９６０ＭＨｚの自動車電話帯またはテレマティクス用（テレマティクスとは，通信（テレコミュニケーション）と情報処理（インフォマティクス）を組み合わせた造語で，自動車向けの次世代情報提供サービスのこと）の周波数帯域における受信感度（周波数特性）は、それぞれ図３の太線と細線で示される。
図３をみれば明らかなように太線で示された位置Ａに設けた第１のシールアンテナ６は平均受信感度が−９ｄＢ付近であり、細線で示された位置Ｂに設けた第１のシールアンテナの平均受信感度の−１２ｄＢ付近と比べるとわずか１０ｍｍ上下にずれただけで、受信利得に大きな影響が出ることが分かる。
【００４５】
また、図４に示すように、各周波数帯域における指向特性図も、位置Ａに設けた第１のシールアンテナの位置ズレの無い場合は、図４の太線に示した通りであるが、図４の細線に示した位置Ｂに設けた第１のシールアンテナ３の位置ズレが発生した場合と比べると、貼付位置のずれによって指向特性も大きく影響することが分かる。
【００４６】
また、前記シール３、３’に設けるマーク４、４’を給電点５、５’やアンテナ線条６、６’とは離れた位置のシール３、３’のコーナー部等に設けるようにしたが、これに代えてマーク４、４’を図５に示すようにシール上の給電点５の外周部、またはアンテナ用導電線条６、６’の途中部の線上、または隣接する点状で設けるようにすれば、マーク４、４’が目立つことはなく、好ましい。
【００４７】
マーク４、４’の形状は、点状、＋状、ｘ字状、「字状、」字状、Ｌ字状、Ｕ字状、Ｔ字状、○字状等が考えられ、マーク４，４’の大きさは、見栄え上、５ｍｍ以下が望ましい。
【００４８】
また、図６の符号４’で示すように、前記シール３’に設けるマーク４’として、シール３’に設けたアンテナ用導電線条６’の途中部を微小な円弧状部、または折線状部で連続線条となるように設け、該微小な円弧状部または折線状部をマーク４’とみなすようにしても良い。
【産業上の利用可能性】
【００４９】
本発明は、自動車等車両用の窓ガラスに後付けで貼り付けるシールアンテナとして利用される。
【図面の簡単な説明】
【００５０】
【図１】シールアンテナが前部窓ガラスの所定の位置（位置Ａ）に貼着され、位置ずれの無い状態を示す図。
【図２】シールアンテナが前部窓ガラスのフランジ上辺位置から上方側に僅かにずれた位置（位置Ｂ）に貼着された状態を示す図。
【図３】位置Ａと位置Ｂにおいて８００〜９６０ＭＨｚの電波を受信したときの周波数特性図。
【図４】位置Ａと位置Ｂにおいて８００〜９６０ＭＨｚの電波を受信したときの指向特性図。
【図５】シールに設けたアンテナ用導電線条の途中部の線条上に微小なドット状のマークを設けた状態、および給電部のコーナー部を切欠してマークとした状態を示す図。
【図６】シールに設けたアンテナ用導電線条の途中部を微小な円弧状部とした状態、およびシールに設けた給電部の両端部にマークを隣接させた状態を示す図。
【符号の説明】
【００５１】
１          窓ガラス
２          金属フランジ
３、３’    シール
４、４’    マーク
５、５’    給電点
６、６’    アンテナ線条
７          ミラーベース
【図１】
2005109811.tif 000003
【図２】
2005109811.tif 000004
【図３】
2005109811.tif 000005
【図４】
2005109811.tif 000006
【図５】
2005109811.tif 000007
【図６】
2005109811.tif 000008